(57)【要約】【課題】 部分耕耘施肥において、畝断面にほぼ均一に施用剤を散布しようとする。【解決手段】トラクタ車体１の後方に耕耘ロータリ６と耕耘土壌を受けて畝成形する畝成形器７を装着し、耕耘ロータリ６の耕耘軸１５には複数の耕耘爪２３，２３…と畝成形器７で成形する畝の畝幅間で対応する対のディスク２５，２５を配設し、この対向するディスク２５，２５間またはその前方において繰り出された粉・粒状施用剤を土壌と共に攪拌する畝立施肥装置において、前記畝成形器７による畝の幅方向であって前記対のディスク２５，２５間に粉粒状物を拡散するディスク間拡散手段Ｋを設け、該拡散散布量を当該幅方向において異なる量に設定することで、耕耘爪で土寄せされてもディスク２５，２５間幅方向においてほぼ均一に施肥又は施薬できる。【選択図】  図９
2012231742.tif 000002
【特許請求の範囲】
【請求項１】
トラクタ車体（１）の後方に耕耘ロータリ（６）と耕耘土壌を受けて畝成形する畝成形器（７）を装着し、耕耘ロータリ（６）の耕耘軸（１５）には複数の耕耘爪（２３，２３…）と畝成形器（７）で成形する畝の畝幅間で対応する一対のディスク（２５，２５）を配設し、この対向するディスク（２５，２５）間またはその前方において繰り出された粉・粒状施用剤を土壌と共に攪拌する畝立施肥装置において、前記畝成形器（７）による畝の幅方向であって前記対のディスク（２５，２５）間に粉粒状物を拡散するディスク間拡散手段（Ｋ）を設け、該拡散散布量を当該幅方向において異なる量に設定してなる畝立施肥装置。
【請求項２】
一対のディスク（２５，２５）間に一対の耕耘爪（２３，２３）を配置し、耕耘爪（２３，２３）による打ち込み作用によって耕耘土壌を一対のディスク（２５，２５）間中央側に寄せるよう構成し、該一対のディスク（２５，２５）間に散布するディスク間拡散手段（Ｋ）の中央側散布量を左右側散布量に対して少量に設定してある請求項１に記載の畝立施肥装置。
【請求項３】
ディスク間拡散手段（Ｋ）は、横方向に長い拡散口部を備えると共に、中央部を絞って口部断面積を左右端部側よりも小に設定した拡散用案内筒（５５）とする請求項２に記載の畝立施肥装置。
【請求項４】
ディスク間拡散手段（Ｋ）は、拡散用樋（４６）の翼部（４６ｂ）中央に隆起部（４６ｒ）を形成してなる請求項２に記載の畝立施肥装置。
【発明の詳細な説明】
【技術分野】
【０００１】
この発明は、畝成形器によって形成された畝に、粉・粒状の肥料又は薬剤を施用する畝立施肥装置に関する。
【背景技術】
【０００２】
耕耘ロータリの上方部に施肥ホッパ等を配置して、繰出流下させる肥料を耕耘ロータリの左右ディスク間に施肥する技術（例えば、特許文献１参照）が知られている。また、耕耘装置の上部に複数の施用タンクを備えて異なる粒状物施用剤や粉状物施用剤を収容し、これらを各施用タンク出口部に配設する繰出装置を介して共通の流下ホッパに導いて混合された施用剤を等しく一対のディスクの間隔内に入るように耕耘爪の前側に落下させる構成がある（特許文献２）。
【先行技術文献】
【特許文献】
【０００３】
【特許文献１】特開２００５−６５５０号公報
【特許文献２】特開２０１０−１７２３１０号公報
【発明の概要】
【発明が解決しようとする課題】
【０００４】
前記特許文献１、２の構成では、粒状物及び粉状物施用剤を混合しあるいは別々に一対のディスクの間に入るように構成されることになり、粉・粒状施用剤は共にこれらディスク間にて耕耘攪拌されるものとなる。このように構成することで、施用剤を局所的に施用でき、然も耕耘作用を受けて土壌に攪拌されて作物に対する施用効果も大きい。
【０００５】
ところが、耕耘攪拌する耕耘爪の配置は、一対の耕耘爪を互いに先曲り部が対向しあうように構成されて土壌は一対の耕耘爪の間に寄せられる傾向となるから、耕耘ロータリの前位に散布された施用剤は該攪拌土壌に伴って一対の耕耘爪の間に寄せられ、その結果、一対のディスク間における施用剤の分布が幅方向においても相違することとなる。このため、この発明は成形される畝の幅方向における施用剤の分布を適切に行わせようとする。
【課題を解決するための手段】
【０００６】
請求項１に記載の発明は、トラクタ車体１の後方に耕耘ロータリ６と耕耘土壌を受けて畝成形する畝成形器７を装着し、耕耘ロータリ６の耕耘軸１５には複数の耕耘爪２３，２３…と畝成形器７で成形する畝の畝幅間で対応する対のディスク２５，２５を配設し、この対向するディスク２５，２５間またはその前方において繰り出された粉・粒状施用剤を土壌と共に攪拌する畝立施肥装置において、前記畝成形器７による畝の幅方向であって前記対のディスク２５，２５間に粉粒状物を拡散するディスク間拡散手段Ｋを設け、該拡散散布量を当該幅方向において異なる量に設定してなる畝立施肥装置とする。
【０００７】
このように構成し作業を開始すると、土壌は耕耘ロータリ６によって耕耘され、次いで畝成形器７の作用で畝立てされる。繰出手段Ｈからの粉粒状物は成形される畝のうち対向するディスク２５，２５間で攪拌され、該ディスク２５，２５間に分布する。また、拡散手段Ｋで繰り出される粉粒状物は、ディスク２５，２５の内側において幅方向に散布量を異ならせてあるから、一対の対向耕耘爪２３，２３…の打ち込み作用によってディスク２５，２５間に偏って分布しようとしても予めこれを予測して耕耘爪の片寄せ方向に対応する個所の散布量を少量に設定することによってディスク２５，２５間幅方向においてほぼ均一に施肥又は施薬できる。
【０００８】
請求項２に記載の発明は、一対のディスク２５，２５間に一対の耕耘爪２３，２３を配置し、耕耘爪２３，２３による打ち込み作用によって耕耘土壌を一対のディスク２５，２５間中央に寄せるよう構成し、該一対のディスク２５，２５間に散布するディスク間拡散手段Ｋの中央側散布量を左右側散布量に対して少量に設定してある請求項１に記載の畝立施肥装置とする。
【０００９】
このように構成すると、耕耘爪２３，２３の打ち込みによって耕耘土壌は一対のディスク２５，２５間中央の寄せられようとするが、ディスク間拡散手段Ｋによる施用剤散布は中央側が少量の薄く設定されているから上記土寄せに伴ってディスク２５，２５間にほぼ均一な散布状態となる。
【００１０】
請求項３に記載の発明は、ディスク間拡散手段Ｋは、横方向に長い拡散口部を備えると共に、中央部を絞って口部断面積を左右端部側よりも小に設定した拡散用案内筒５５とする請求項２に記載の畝立施肥装置とする。これによって、ディスク２５，２５間において、施用剤は中央部では絞られた拡散口部から少量に散布される。
請求項４に記載の発明は、ディスク間拡散手段Ｋは、拡散用樋４６の翼部４６ｂ中央に隆起部４６ｒを形成してなる請求項２に記載の畝立施肥装置とする。これによると、隆起部４６ｒを越える施用剤は少なく左右側に対して中央側への流下案内量を少なくしている。
【発明の効果】
【００１１】
本発明によると、一対の対向耕耘爪間に偏って分布しようとしても予めこれを予測して耕耘爪間に対応する個所の散布量を側部に対して少量に設定することによって幅方向においてほぼ均一に施肥又は施薬できる。
【図面の簡単な説明】
【００１２】
【図１】畝立施肥装置の側面図。
【図２】畝立施肥装置の背面図。
【図３】耕耘ロータリ部の背面図。
【図４】耕耘ロータリ部の側面図。
【図５】散布樋組の斜視図。
【図６】作用説明平面図。
【図７】従来技術を示す概念図
【図８】本発明の一例を示す概念図
【図９】本発明の他の例を示す概念図（イ）、拡散用案内筒の一例を示す斜視図（ロ）
【図１０】拡散用案内筒の作用を示す概念図（イ）（ロ
【図１１】拡散用案内筒の装着状態を示す斜視図（イ）、拡大側面図（ロ）
【図１２】ホッパの他の例を示す正面図（イ）、繰出口の作用説明図（ロ）〜（ニ）
【図１３】拡散用樋の改良例を示す正面図（イ）、側面図（ロ）
【図１４】拡散用樋の他の改良例を示す正面図（イ）（ａ）、側面図（ロ）（ｂ）、及び作用説明図（ロ）（ａ）、（ロ）（ｂ）
【図１５】拡散用樋の更に他の改良例を示す正面図（イ）（ａ）、側面図（ロ）（ｂ）、及び作用説明図（ロ）（ａ）、（ロ）（ｂ）
【図１６】拡散用樋の更に他の改良例を示す正面図（イ）、側面図（ロ）
【図１７】他の畝立施肥装置の概念図（イ）（ロ）
【発明を実施するための形態】
【００１３】
この発明の実施の形態を図面に基づき説明する。  
トラクタ車体１の後部にリフトアーム２によって昇降されるロアリンク３、トップリンク４等からなる３点リンク機構５を構成し、該３点リンク機構５を介して耕耘ロータリ６及び畝成形器７からなる耕耘畝立部Ａを装着している。  
上記耕耘ロータリ６及び畝成形器７からなる耕耘畝立部Ａの上方に、左右中央の粉繰出ホッパ８と左右側方に一対設けられる粒繰出ホッパ９，９を有する施肥装置Ｂを設けている。
【００１４】
１０，１０は車体１の後輪、１１はフェンダー、１２はキャビンである。  
前記耕耘ロータリ６は所謂センタドライブ形態で、左右の耕耘軸１５，１５を伝動駆動する伝動ケース１６を耕耘幅の中央部に垂下状態に設ける構成である。  
左右の耕耘軸１５，１５は、伝動ケース１６に近い第１の耕耘軸１５ａ，この第１の耕耘軸１５ａの先端側異径部に着脱自在に嵌合する主体の第２耕耘爪１５ｂからなり、伝動ケース１６から左右に突出する耕耘出力軸１７，１７に前記第１耕耘軸１５ａをスプライン嵌合して動力伝動可能に構成し、前記異径嵌合部を介して第１耕耘軸１５ａの回転動力を第２耕耘軸１５ｂに伝達する構成とし、第２耕耘軸１５ｂの軸方向の抜け止めは長尺のボルト部材１８で行なう構成である。  
【００１５】
第１耕耘軸１５ａの周りには爪ホルダ１９を直接に溶接一体化して取り付け、第２耕耘軸１５ｂには、爪ホルダ２０を適宜個数、位相をずらせて配設した短ボス体２１，２１を外嵌してスライド自在に設け、第２耕耘軸１５ｂの軸方向にスライドさせて所定の位置で締付部２２，２２によって固定する構成である。これら爪ホルダ１９，２０には耕耘爪２３，２３を着脱自在に装着している。  
【００１６】
前記第２耕耘軸１５ｂには、左右間隔離れて一対のディスク２５，２５と該一対の耕耘ディスク２５，２５間に配置する耕耘爪２３を設けた長ボス体（筒状体）２６をスライド自在に挿通し、締付具２７，２７で固定できる構成としている。詳述すると、所定間隔（例えば２００ｍｍ）離して長ボス体（筒状体）２６の周面に回転軸１５に直交する平面に対して僅かに捻って複数の取付板２８ａ〜２８ｄ（図例では４枚）を同位相でありながら半径方向には等間隔に配置し、かつこれら取付板２８ａ〜２８ｄに夫々螺旋羽根形態の複数枚の螺旋羽根からなっている（図例では分割螺旋羽根２５ａ〜２５ｄの４枚）ディスク２５を装着する。
【００１７】
上記長ボス体（筒状部材）２６には所定間隔（例えば２００ｍｍ）離して上記構成の螺旋羽根２５ａ〜２５ｄからなるディスク２５を左右に対向する関係に設けている。この一対のディスク２５，２５の回転は土壌を耕耘する機能と螺旋状に形成されるため耕耘土壌を対向する側即ち左右ディスク２５，２５の間隔内側に寄せる機能を備えている。即ち、前記分割螺旋羽根２５ａ〜２５ｄの打ち込み作用で土壌を各対抗するディスク２５，２５間中央側に跳ねだすものである。
【００１８】
また、長ボス体（筒状部材）２６の中間部には複数の爪ホルダ２９，２９を配設し、該爪ホルダ２９，２９に前記耕耘爪２３，２３を着脱自在に装着している。これら耕耘爪２３，２３は先端側を湾曲させた所謂ナタ爪形態であって、この湾曲先端側が互いに内向いて対向しあう状態に設けられる。したがって、一対の左右ディスク２５，２５の間隔部内で耕耘爪２３，２３により、間隔内側に土寄せ機能を具備する。上記左右ディスク２５，２５の土寄せ機能と相俟って耕耘土壌をこれら左右ディスク２５，２５の間隔部中央側に寄せながら耕耘される。
【００１９】
上記のように構成された耕耘ロータリ６は、第１、第２耕耘軸１５ａ，１５ｂの回転によって耕耘爪２３，２３…が順次土中に打ち込まれ土壌を耕耘する。また、対向するディスク２５，２５も同様に回転し、左右に対向する関係となって、螺旋状に配設された螺旋羽根２５ａ〜２５ｄ回転は土壌をこの対向する間隔部内に向けて移動させながら耕耘する。
【００２０】
第２耕耘軸１５ｂに一対のディスク２５，２５を配設する構成としたが、伝動ケース１６を挟んで左右に位置する第１耕耘軸１５ａ，１５ａの夫々に一対として対向しあうディスク２５，２５の取付板２８Ｃａ〜２８Ｃｄを直接的に設けて、後記のように３畦成形に対応させている。
【００２１】
又、この耕耘ロータリ６の上側を覆う耕耘カバー３０上に位置する耕耘フレーム３１から後方にわたってヒッチ３２を設け、このヒッチ３２にツールバー３３を取付ける。このツールバー３３には、畝成形器７、後述のステップ３４及び尾輪３６等を配置できる。
畝成形器７は、片培土板４０，４０の一対を耕耘幅にわたって複数取付け（図例では３対配置して、３条畝成形形態としている）、このツールバー３３に沿って横移動可能にして、畝幅調節及び成形畝の間隔を調整することができる。前記施肥装置Ｂは、耕耘フレーム３１、及びヒッチ３２等の上方に支持フレーム４１を介して支持されるツールバー４２に沿って配置し、横方向に取付位置を移動調節可能に構成している。
【００２２】
ここにおいて、畝立施肥装置の構成は、トラクタ車体１の後方に耕耘ロータリ６とこの耕耘土壌を培土する畝成形器７を装着し、これら前部の耕耘ロータリ６の上方部で左右中央位置には、主に薬剤を施用するため粒状物を繰出す粒繰出ホッパ８を設け、後部の畝成形器７の上方部で、左右両側位置には主に肥料を施用するため粉状物を繰出す粉繰出ホッパ９，９を設けたものである。車体１の進行によって耕耘ロータリ６によって土壌面が耕耘されて、この耕耘土壌面を畝成形器７によって培土して畝成形する。この畝には、粒繰出ホッパ８から繰出す粒状施薬と、粉繰出ホッパ９から繰出す粉状肥料を土壌と攪拌しながら施用する。このような粉、粒状物の施用において、粒繰出ホッパ８を前部の耕耘ロータリ６上方の中央部に搭載し、粉繰出ホッパ９を後部の畝成形器７上方の左右両側部に搭載して、粉状物（粉状肥料）及び粒状物（粒状施薬）等の繰出流下施用を直下方向へ垂直状に行わせる。
【００２３】
粒状物（粒状施薬）と粉状物（粉状肥料）を混合しながら畝立土壌面に施用する作業機形態にあっては、これら施薬と肥料を各別に収容しておくと、繰出ホッパの設置数が耕耘ロータリの上部で多くなり、これらの占めるスペースが広くなり、肥料等の供給作業やメンテナンス等が煩雑化となり易いが、前記のように、トラクタ車体１の後方に耕耘ロータリ６とこの耕耘土壌を受けて畝成形する畝成形器７を装着し、これら前部の耕耘ロータリ６の上方部で左右中央位置には、粒状物を繰出す粒繰出ホッパ８を設け、後部の畝成形器７の上方部で、左右両側位置には粉状物を繰出す粉繰出ホッパ９を設けた畝立施肥装置の構成とすることにより上記課題を解消する。すなわち、車体１の進行によって耕耘ロータリ６によって土壌面が耕耘されて、この耕耘土壌面を畝成形器７によって培土して畝成形し、この畝面には、粒繰出ホッパ８から繰出す粒状物と、粉繰出ホッパ９から繰出す粉状物を施用するが、これら各ホッパ８、９を前後、左右にずらせて配置しているため、各ホッパ７、８の容量を大きく設定し、中央部のホッパ８に対する粒状物の供給等の作業を行い易くする。従って、上記の構成によると、粒繰出ホッパ８と粉繰出ホッパ９を前後、左右に位置ずれさせた形態に配置するため、これら各ホッパ８、９の容量を大きくして有効に配置することができ、耕耘ロータリ６の上方部における特に中央部の粒繰出ホッパ８に対するメンテナンス性を容易に行うことができる。
【００２４】
次に、上記実施例では、前記粒繰出ホッパ８から繰出される粒状物（粒状施薬）を流下供給するホース４５の粒供給口４５aを拡散用樋４６にて圃場に拡散散布し、粉繰出ホッパ９から繰出される粉状物（粉状肥料）を流下案内するホース４７の粉供給口４７aを筒状樋４８にて圃場に局所散布する構成としている。
【００２５】
前記各繰出ホッパ８，９，９は、平面視略方形状形態に設けられて、開閉可能の蓋５０を有する。各繰出ホッパ８，９，９の底部には、繰出ロールをモータで駆動して該ホッパ８，９，９の粉状物、又は粒状物を繰出す繰出装置５１，５１，５１を設ける。各繰出装置５１には３個所ずつ繰出口５２，５３，５３を設け、夫々に前記ホース４５，４７，４７を連結し、これらホース４５，４７，４７によって粒状物Ｇ（粒状施薬）は拡散用樋４６を、粉状物Ｐ（粉状肥料）は筒状樋４８，４８を介して圃場に散布される。
【００２６】
拡散用樋４６は、ホース４５の下端を挿入させる受筒体４６ａと、この受筒体４６ａから排出される粒状物を受けて左右に拡散する案内する翼部４６ｂと上部の飛散防止板４６ｃからなり、翼部４６ｂを滑走しながら左右に拡散落下される構成である。一方、筒状樋４８は一対宛に設けられ左右繰出ホッパ９，９に接続するホース４７，４７の各先端を受ける構成である。
【００２７】
拡散用樋４６及び一対の筒状樋４８，４８は、耕耘ロータリ６の前側において、該耕耘ロータリ６のフレームから前下向きに延出するステー４９ａ，４９ａ…間に水平姿勢で横設された支持ロッド４９ｂによって支持される。なお、該支持ロッド４９ｂに対して、拡散用樋４６は前方に位置し、筒状樋４８，４８は後方に位置している。
【００２８】
拡散用樋４６からの粒状物Ｇ（粒状施薬）が機体の進行前位に左右に拡散して落下し前記耕耘ロータリ６の対向する左右ディスク２５，２５間隔内外共に散布状態となり、一方筒状樋４８からの粉状体Ｐ（粉状肥料）はその略下方に落下しこれら対向する左右ディスク２５，２５の間隔内に散布されるようになっており、その左右方向の調整は、支持ロッド４９ｂに対して拡散用樋４６及び筒状樋４８，４８を貫通させたブラケット４６ａ，４８ａ，４８ａのロック用ボルトナット５５による。前記拡散用樋４６の受筒体４６ａ、及び筒状樋４８，４８の上部はホース下端が挿通し易いように拡開状に形成されている。
拡散用樋４６と一対の筒状樋４８，４８からなる散布樋組は後に成形される畝条数に対応し備えられる。図例では中央及び左右の３畝形態でこれに併せて散布樋組も３組に構成される。
【００２９】
前記のように、繰出ホッパ８の繰出装置５１、ホース４５及び拡散用樋４６によって拡散散布を行う拡散手段Ｗを構成し、繰出ホッパ９，９の繰出装置５１，５１、ホース４７，４７及び筒状樋４８，４８によって標準の局所散布を行う繰出手段Ｈを構成するものである。
【００３０】
なお、拡散散布用の拡散用樋４６には筒状樋４８を交換取付自在に構成され、夫々の樋４６，４８には散布幅の目安となる数値を表示している。
【００３１】
上例の作用について説明する。
【００３２】
前記繰出ホッパ８から繰り出される粒状物（粒状施薬）は、前記拡散手段Ｋを介して耕耘ロータリ６の前面に左右所定幅に拡散散布される。また、繰出ホッパ９，９から繰り出される粉状物（粉状肥料）は、前記繰出手段Ｈを介して上記粒状施薬の直後に局所散布される。前記耕耘ロータリ６によって耕耘された土壌面は畝成形器７により畝立て成形されるが、この耕耘ロータリ６による耕耘、即ち耕耘爪２３，２３…の耕耘作用によって土壌が耕耘されながら、対向するディスク２５，２５間においては、拡散手段Ｋから散布される粒状物（粒状施薬）の一部と繰出手段Ｈから局所散布される粉状肥料の全部が攪拌される。また対向するディスク２５，２５の外側においては耕耘爪２３，２３…の耕耘作用が行われる。この後後続する畝成形器７によって所定条（図例では３条）の畝Ｒが成形される。
【００３３】
特定の薬剤のように左右のディスク２５，２５間断面全域に分布させる方が効果が大きい場合には、前記拡散手段Ｋ（拡散用樋４６）を用いることによって所期の効果を奏し得ると共に、また、特定の肥料においては、繰出手段Ｈによってディスク２５，２５間の局所に分布させることにより、低コストの作業を実現できる。
【００３４】
前記繰出手段Ｈからの粉状物（粉状肥料）は成形される畝のうち対向するディスク２５，２５間で攪拌され、畝の断面のうち該ディスク２５，２５間に分布する。また、拡散手段Ｋで繰り出される粉粒状物は、ディスク２５，２５左右間隔部に亘り分布して耕耘爪２３，２３で攪拌されるため、耕耘爪２３の先端側畝成形器７によって畝立てされる畝Ｒの中央部ほどサイド部に比較して濃度が濃い状態に分布する（濃度大散布域Ｚ、図７）。そこで、拡散手段Ｋとしての拡散用樋４６を一対に設けると共にディスク２５，２５間における中央部（図例では、伝動ケース１６通過部）には散布量が少なくなるようになす（図８）。このように構成してディスク２５，２５間の幅方向分布を異ならせておくことにより、耕耘爪２３，２３によって中央側に土壌と共に寄せられようとする施用剤を畝内に均一に分布させることができる。
【００３５】
また、図９に於ける構成は、拡散用樋４６を改良して横方向に長い拡散口部を備えると共に、中央部を絞って口部断面積を左右端部側よりも小に設定した拡散用案内筒５５を構成している（図９（ロ））。このため、中央部からの流下量が端部側の流下量よりも少なくなり、粉粒状物は元々左右中央部の少ない状態に圃場面に散布される。なお、このように構成すると、左右幅方向への散布量の設定を大小に行うことができ、拡散用案内筒５５が傾斜変動しても散布量の変動が少ない。また、拡散用案内筒５５を縦軸回りに回動調節できる構成とすることで筋状散布、即ち局所散布を行うことができ、簡単な切り替え構成で拡散散布（図１０（ロ））と局所散布（図１０（イ））の切り替えを行うことができる。
【００３６】
拡散用樋の翼部４６ｂ中央に隆起部４６ｒを形成する拡散用樋４６とし（図５）、左右側に対して中央側への流下案内量を少なくする形態でもよい。このように構成すると、隆起部４６ｒの形成のみの簡単な構成で左右幅方向の散布量を変更設定できコストダウンが図れる。
【００３７】
前記ディスク間拡散手段Ｋ、即ち、拡散用案内筒５５あるいは拡散用樋４６を採用することによって、左右のディスク２５，２５間の略全幅に亘って粉・粒状施用剤を散布する場合に、上記のような拡散用案内筒５５や拡散用樋４６の隆起部４６ｒの形成によると、左右幅の中央部を敢えて少なく散布させることとなるが、前記のように、ディスク２５の分割螺旋羽根２５ａ〜２５ｄの回転及び／又は耕耘爪２３，２３の回転は土壌をその間隔中央部に向けて寄せ合う形態となって、該中央部に向けて耕耘土壌と共に流下された粉状物を寄せ合うものであるから耕耘後の粒状物分布は略均一化されるものとなる。
【００３８】
なお、図７による図例では、耕耘爪２３，２３及び／又はディスク２５，２５によってこれらディスク２５，２５間の中央に土寄せする形態の爪形状に構成したが、逆に側方に土寄せする形態でも対応できる。即ちこのような場合には、両ディスク２５，２５近傍への散布量を少なくし、中央側を多くするよう拡散手段Ｋを構成するとよい。
【００３９】
又、上記実施例では、拡散手段Ｋで粒状物（粒状施薬）を対象としたが、粉状物でもよく、薬剤のみならず肥料であってもよい。
【００４０】
さらに、前記実施例では所謂３畝仕様について説明したが、２畝仕様のほか４畝以上についても同様に実施でき、支持ロッド４９ｂに沿わせて拡散用樋４６と一対の筒状樋４８，４８からなる散布樋組を個別に左右移動して適切な配置に調節できる。
【００４１】
図１１は、前記拡散用案内筒５５の耕耘ロータリ６への装着代替構成を示す。耕耘ロータリ６の上面カバー５６を断面湾曲状に形成し、この湾曲状の前端部に、拡散用案内筒５５を左右側及び中央の３箇所に配置し、ボルト５７・ナット５８等の適宜着脱具によって装着している。この拡散案内筒５５の装着傾き状態を該ボルト５７・ナット５８にて調整できる構成とすることにより、施用剤の流下案内を適正に設定できる。例えば、流下し易い粉状物は傾斜を緩くし、流下し難い粉状物は傾斜を急にすることで流下詰りや流下過多を防止できる。
【００４２】
図１２は、繰出ホッパの代替構成を示す。複数の繰出口６０，６０…を備え、共通の繰出モータ６１の駆動に伴ない長尺の繰出ロール６２の溝によって所定量に係合する施用剤を繰出口６０，６０…から繰出す構成である。繰出ホッパ６３の内部には各繰出口６０，６０…の内側に山形の規制板６４，６４と片面傾斜の規制板６５，６５とを備え、適宜に繰出口６０，６０の上部を塞いで繰出条数を変更できる構成としている。これによって、繰出口が３連必要な３畝仕様（図２）、２連で足りる２畝仕様等多岐に対応できるものである。
【００４３】
前記拡散手段Ｋの拡散用樋４６に代替して筒状樋４８を備えることにより、繰出ホッパ８の粒状物をも対向するディスク２５，２５内の局所に散布させることができるものである。
【００４４】
図１３〜図１５に示す別例は、拡散手段Kとしての拡散用樋４６の翼部４６Ｂの機能をなくして局所散布に切り替える場合の改良案を示すものである。図１３では、ホース４５の下端を挿入させる受筒体４６ａの背面に取付用バー４６ｄを一体的に設け、該取付用バー４６ｄに、翼部４６ｂの上部の重合バー４６ｅを重ねてボルト６６止めしている。該ボルト６６を緩めて翼部４６ｂを取り外すと、受筒体４６ａから直接施用剤は流下して局所散布に適する。また、図１４に示す構成は、受筒体４６ａの背面に傾斜案内面４６ｆを形成したボス部４６ｇを備え、翼部４６ｂを下向き傾斜に装着するときは、拡散手段Ｋとしての機能を有し、上向き傾斜に装着すると翼部４６ｂが受筒体４６ａの施用剤流下圏外になって、受筒体４６ａによる局所散布が得られる。
【００４５】
図１５はさらに拡散散布と局所散布の切り替えを行う変形例を示し、翼部４６ｂの受筒体４６ａの流下部に通孔４６ｈを形成し、該通孔４６ｈにゴム製の蓋部４６ｉを装着するときは拡散散布状態とし蓋部４６ｉを取り外すと局所散布が得られる。
【００４６】
図１６は、拡散散布の精度向上を図る変形例を示す。翼部４６ｂの基部に弾性材としての板バネ４６ｊを取り付け、受筒体４６ａの背面に形成したボス部４６ｋに取り付ける。施用剤の落下衝撃や機体振動を受けて翼部４６ｂは振動し、施用剤の停滞をなくして拡散流下を適正に行える。
また、前記の畝立施肥装置のディスクを用いない使用形態もある。
畝の中央部よりも畝成形器７による土寄せ作用の結果、成形畝Ｒの中央部に比較して該畝の肩部の方が粒状物の分布する濃度が濃い状態となる（図１７（イ））。そこで、図１７（ロ）に示すように、耕耘幅方向に複数の拡散手段Ｋ，Ｋ´を備えて後続の成形畝Ｒの肩部への偏った分布を解消しようとする。畝の中央に散布する拡散手段Ｋの散布量は多くし、畝成形器７の前方に対応する拡散手段Ｋ´からの散布量を少なくすることによって上記の解消を図る。なお、同一の粉粒状物の散布において、成形畝において対向する一対のディスク２５，２５間の分布を濃く、この間以外の分布を薄くさせたい場合には、繰出ホッパ８，9，９に同じ粉粒状物を投入しておき、繰出手段Ｈ及び拡散手段Ｋのいずれからも同じ粉粒状物を散布させるものである。このように構成すると、同一肥料や同一薬剤を畝断面の分布状況を異ならせて散布でき、作物の生長に見合う施肥乃至施薬状況を得ることができる。
【符号の説明】
【００４７】
１ トラクタ車体  
６ 耕耘ロータリ  
７ 畝成形器  
１５ 耕耘軸   
２３ 耕耘爪  
２５ ディスク  
４６ 拡散用樋
４８ 筒状樋
５１ 繰出装置
５５ 拡散用案内筒
Ｈ 繰出手段
Ｋ ディスク間拡散手段
Ｇ 粒状物（粒状施薬）
Ｐ 粉状物（粉状肥料）
Ｚ 濃度大散布域
【図１】
2012231742.tif 000003
【図２】
2012231742.tif 000004
【図３】
2012231742.tif 000005
【図４】
2012231742.tif 000006
【図５】
2012231742.tif 000007
【図６】
2012231742.tif 000008
【図７】
2012231742.tif 000009
【図８】
2012231742.tif 000010
【図９】
2012231742.tif 000011
【図１０】
2012231742.tif 000012
【図１１】
2012231742.tif 000013
【図１２】
2012231742.tif 000014
【図１３】
2012231742.tif 000015
【図１４】
2012231742.tif 000016
【図１５】
2012231742.tif 000017
【図１６】
2012231742.tif 000018
【図１７】
2012231742.tif 000019